(57)【要約】【課題】ＪＰＥＧ２０００の符号データのような小領域毎に圧縮符号化された符号データに対する処理を小領域単位で制御する。【解決手段】データ記憶部１０１には、符号データと、符号データの小領域毎の符号についての所定の事象に関する記録である小領域符号管理記録が記憶されている。処理部１０２は、符号データと小領域符号管理記録を読み込み、小領域符号管理記録に基づいて符号データの処理を小領域単位で制御する。小領域符号管理記録の具体的な内容は、その利用目的に応じて選ぶことができるが、例えば、小領域符号の生成（更新）日時、バージョン情報、生成（更新）に関与した者の氏名、アクセス日時などである。処理部１０２は、符号データを生成（更新）した時に、その小領域符号管理記録を自動的に生成してデータ記憶部１０１に保存する。【選択図】図４
2006033189.tif 000002
【特許請求の範囲】
【請求項１】
画像データを小領域毎に圧縮符号化した符号データを扱う画像処理装置であって、
符号データの小領域毎の符号についての所定の事象に関する記録である小領域符号管理記録を、その符号データの一部として又は関連付けられたデータとして保存する手段を有することを特徴とする画像処理装置。
【請求項２】
符号データが生成された時又は加工された時に、生成された又は加工された符号データの小領域符号管理記録を生成する手段を有することを特徴とする請求項１に記載の画像処理装置。
【請求項３】
画像データを入力する画像入力手段と、
前記画像入力手段により入力された画像データを小領域毎に圧縮符号化して符号データを生成する圧縮符号化処理手段と、
前記圧縮符号処理手段により生成された符号データの小領域毎の符号についての生成に関する記録である小領域符号管理記録を生成する小領域符号管理記録生成手段と、
前記圧縮符号処理手段により生成された符号データ及び前記小領域符号管理記録生成手段により生成された小領域符号管理記録を保存する手段とを有することを特徴とする画像処理装置。
【請求項４】
画像データを小領域毎に圧縮符号化した符号データ、及び、この符号データの小領域毎の符号についての所定の事象に関する記録である小領域符号管理記録を入力する入力手段と、
前記入力手段により入力された符号データに対し所定の処理を行う処理手段と、
前記入力手段により入力された小領域符号管理記録に基づき前記処理手段による符号データに対する処理を小領域毎に制御する手段とを有することを特徴とする画像処理装置。
【請求項５】
画像データを小領域毎に圧縮符号化した符号データ、及び、この符号データの小領域毎の符号についての所定の事象に関する記録である小領域符号管理記録を入力する入力手段と、
前記入力手段により入力された符号データに対し符号状態で編集処理を行う処理手段と、
前記入力手段により入力された小領域符号管理記録に基づき、前記処理手段による符号データの編集処理を小領域毎に制御する制御手段と、
前記入力手段により入力された小領域符号管理記録を基に、前記処理手段により編集処理が行われた後の符号データに関する小領域符号管理記録を生成する手段とを含むことを特徴とする画像処理装置。
【請求項６】
前記制御手段は小領域符号管理記録に基づいて小領域を選択し、前記処理手段は前記制御手段により選択された小領域の符号に対してのみ編集処理を行うことを特徴とする請求項４に記載の画像処理装置。
【請求項７】
画像データを小領域毎に圧縮符号化した複数の符号データ、及び、これら各符号データの小領域毎の符号についての所定の事象に関する記録である小領域符号管理記録を入力する入力手段と、
前記入力手段により入力された複数の符号データの合成符号データを生成する処理を行う処理手段と、
前記入力手段により入力された複数の小領域符号管理記録に基づき、前記処理手段において合成符号データの生成に複数の符号データのいずれの符号を用いるべきか小領域毎に選択する選択手段と、
前記入力手段により入力された小領域符号管理記録を基に、前記処理手段により生成された合成符号データに関する小領域符号管理記録を生成する手段とを有し、
前記処理手段は、前記選択手段により小領域毎に選択された符号データの符号を用いて合成符号データを生成することを特徴とする画像処理装置。
【請求項８】
ある送信先の送信要求が発生した時に、画像データを小領域毎に圧縮符号化した符号データ、及び、この符号データの小領域毎の符号についての所定の事象に関する記録である小領域符号管理記録を入力する入力手段と、
前記送信先に関する送信履歴を記録している送信履歴記録手段と、
前記入力手段により入力された小領域符号管理記録及び前記送信履歴記録手段に記録されている送信履歴に基づいて、前記入力手段より入力された符号データの小領域の符号を選択する選択手段と、
前記選択手段により選択され小領域の符号を前記送信先へ送信する手段とを有することを特徴とする画像処理装置。
【請求項９】
ある送信先の送信要求が発生した時に、画像データを小領域毎に圧縮符号化した符号データ、及び、この符号データの小領域毎の符号についての所定の事象に関する記録である小領域符号管理記録を入力する入力手段と、
前記送信先より小領域符号管理記録を受信する受信手段と、
前記受信手段により受信された小領域符号管理記録及び前記入力手段により入力された小領域符号管理記録に基づいて、前記入力手段により入力された符号データの小領域の符号を選択する選択手段と、
前記選択手段により選択された小領域の符号を前記送信先へ送信する送信手段とを有するこことを特徴とする画像処理装置。
【請求項１０】
ある送信先の送信要求が発生した時に、画像データを小領域毎に圧縮符号化した符号データ、及び、この符号データの小領域毎の符号についての所定の事象に関する記録である小領域符号管理記録を入力する入力手段と、
前記送信要求に含まれる所定の情報及び前記入力手段により入力された小領域符号管理記録に基づいて、前記入力手段により入力された符号データの小領域の符号を選択する選択手段と、
前記選択手段により選択された小領域の符号を前記送信先へ送信する送信手段とを有するこことを特徴とする画像処理装置。
【請求項１１】
ある送信元の受信要求が発生した時に、画像データを小領域毎に圧縮符号化した符号データ、及び、この符号データの小領域毎の符号についての所定の事象に関する記録である小領域符号管理記録を入力する入力手段と、
前記送信元へ前記入力手段により入力された小領域符号管理記録を送信する手段と、
前記送信元より符号データの少なくとも一部の小領域の符号及びそれに関する小領域符号管理記録を受信する受信手段と、
前記受信手段により受信された少なくとも符号データの少なくとも一部の小領域の符号で前記入力手段により入力された符号データの対応した小領域の符号を置換した符号データを生成する符号合成手段と、
前記入力手段により入力された小領域符号管理記録及び前記受信手段により受信された小領域管理記録を基に前記符号合成手段により生成された符号データに関する小領域符号管理記録を生成する手段とを有することを特徴とする画像処理装置。
【請求項１２】
画像データを小領域毎に圧縮符号化した符号データ、及び、この符号データの小領域毎の符号についての所定の事象に関する記録である小領域符号管理記録を入力する入力手段と、
前記入力手段により入力された符号データの復号処理を行って画像データを生成する処理手段と、
前記入力手段により入力された小領域符号管理記録に基づき、前記処理手段において符号データの各小領域符号が復号処理される順序を制御する制御手段とを有することを特徴とする画像処理装置。
【請求項１３】
前記処理手段により生成される画像データを画像として表示する表示手段を有することを特徴とする請求項１２に記載の画像処理装置。
【請求項１４】
画像データを小領域毎に圧縮符号化した符号データの小領域毎の符号についての所定の事象に関する記録である小領域符号管理記録を入力する小領域符号管理記録入力手段と、  前記符号データの復号処理により生成された画像データを小領域単位で入力する画像入力手段と、
前記小領域符号管理記録入力手段により入力された小領域符号管理記録に基づいて、前記画像入力手段による各小領域の画像データの入力順序を制御する手段と、
前記画像入力手段により小領域単位で入力された画像データから表示用画像データを生成する表示画像生成手段と、
前記表示画像生成手段により生成された表示用画像データを画像として表示する表示手段とを有することを特徴とする画像処理装置。
【請求項１５】
画像データを小領域毎に圧縮符号化した複数の符号データ、及び、これら各符号データの小領域毎の符号についての所定の事象に関する記録である小領域符号管理記録を入力する入力手段と、
前記入力手段により入力された複数の小領域符号管理記録に基づき、前記入力手段により入力された複数の符号データのうちの１の符号データを小領域毎に選択する選択手段と、
前記入力手段により入力された複数の符号データのうちの前記選択手段により選択された符号データの小領域符号の復号処理を行うことにより画像データを生成する処理手段とを有することを特徴とする画像処理装置。
【請求項１６】
符号データの小領域符号管理記録は小領域毎の符号のバージョン情報もしくは生成日時であることを特徴とする請求項１乃至１５のいずれか１項に記載の画像処理装置。
【請求項１７】
画像データを小領域毎に圧縮符号化した符号データ、及び、この符号データの小領域毎の符号についての所定の事象に関する記録である小領域符号管理記録を入力する入力工程と、
前記入力工程により入力された符号データに対し所定の処理を行う処理工程と、
前記入力工程により入力された小領域符号管理記録に基づき前記処理工程における符号データに対する処理を小領域毎に制御する工程とを有することを特徴とする画像処理方法。
【請求項１８】
請求項３乃至１６のいずれか１項に記載の画像処理装置の各手段としてコンピュータを機能させるプログラム。
【請求項１９】
請求項１乃至１６のいずれか１項に記載の画像処理装置の各手段としてコンピュータを機能させるプログラムが記録された、コンピュータが読み取り可能な情報記録媒体。
【発明の詳細な説明】
【技術分野】
【０００１】
本発明は、画像処理装置に係り、特に、画像データを小領域に分割し、小領域毎に圧縮符号化した符号データを扱う画像処理装置に関する。
【背景技術】
【０００２】
ＪＰＥＧアルゴリズムにより圧縮符号化された画像を部分的にインデックス化する技術が特許文献１に記載されている。ここに記載の装置又は方法においては、ＪＰＥＧ符号化データに対し、最小符号化単位（具体的にはＤＣＴ変換の８×８画素ブロック）毎に符号のアドレスを記憶するポインタアレイが用いられる。初期状態では、ポインタアレイの各ポインタは編集前の符号のアドレスを指しているが、伸長されて編集された部分領域の符号に対応するポインタは、編集後の符号のアドレスを指すように更新される。
【０００３】
【特許文献１】特許第３２５１０８４号公報
【発明の開示】
【発明が解決しようとする課題】
【０００４】
画像データを小領域に分割し、小領域毎に圧縮符号化するアルゴリズムとしてＪＰＥＧ２０００がある。ＪＰＥＧ２０００では、タイルと呼ばれ小領域を処理単位として圧縮符号化が行われる。ＪＰＥＧ２０００の符号データ（コードストリーム）は、タイル毎に符号を独立して処理することができ、また、編集や合成などを符号状態のままで容易に行うことができるなど多くの利点を有する。
【０００５】
本発明の目的は、ＪＰＥＧ２０００の符号データのような小領域毎に圧縮符号化された符号データの効率的な転送処理、小領域単位で制御された符号データの加工処理や復号処理などが可能な新規な画像処理装置及び方法を提供することにある。
【課題を解決するための手段】
【０００６】
請求項１の発明は、画像データを小領域毎に圧縮符号化した符号データを扱う画像処理装置であって、符号データの小領域毎の符号についての所定の事象に関する記録である小領域符号管理記録を、その符号データの一部として又は関連付けられたデータとして保存する手段を有することを特徴とする画像処理装置である。
【０００７】
請求項２の発明は、請求項１の発明による画像処理装置であって、符号データが生成された時又は加工された時に、生成された又は加工された符号データの小領域符号管理記録を生成する手段を有することを特徴とする画像処理装置である。
【０００８】
請求項３の発明は、画像データを入力する画像入力手段と、この画像入力手段により入力された画像データを小領域毎に圧縮符号化して符号データを生成する圧縮符号化処理手段と、この圧縮符号処理手段により生成された符号データの小領域毎の符号についての生成に関する記録である小領域符号管理記録を生成する小領域符号管理記録生成手段と、前記圧縮符号処理手段により生成された符号データ及び前記小領域符号管理記録生成手段により生成された小領域符号管理記録を保存する手段とを有することを特徴とする画像処理装置である。
【０００９】
請求項４の発明は、画像データを小領域毎に圧縮符号化した符号データ、及び、この符号データの小領域毎の符号についての所定の事象に関する記録である小領域符号管理記録を入力する入力手段と、この入力手段により入力された符号データに対し所定の処理を行う処理手段と、前記入力手段により入力された小領域符号管理記録に基づき前記処理手段による符号データに対する処理を小領域毎に制御する手段とを有することを特徴とする画像処理装置である。
【００１０】
請求項５の発明は、画像データを小領域毎に圧縮符号化した符号データ、及び、この符号データの小領域毎の符号についての所定の事象に関する記録である小領域符号管理記録を入力する入力手段と、前記入力手段により入力された符号データに対し符号状態で編集処理を行う処理手段と、前記入力手段により入力された小領域符号管理記録に基づき、前記処理手段による符号データの編集処理を小領域毎に制御する制御手段と、前記入力手段により入力された小領域符号管理記録を基に、前記処理手段により編集処理が行われた後の符号データに関する小領域符号管理記録を生成する手段とを含むことを特徴とする画像処理装置である。
【００１１】
請求項６の発明は、請求項４の発明による画像処理装置であって、前記制御手段は小領域符号管理記録に基づいて小領域を選択し、前記処理手段は前記制御手段により選択された小領域の符号に対してのみ編集処理を行うことを特徴とする画像処理装置である。
【００１２】
請求項７の発明は、画像データを小領域毎に圧縮符号化した複数の符号データ、及び、これら各符号データの小領域毎の符号についての所定の事象に関する記録である小領域符号管理記録を入力する入力手段と、この入力手段により入力された複数の符号データの合成符号データを生成する処理を行う処理手段と、前記入力手段により入力された複数の小領域符号管理記録に基づき、前記処理手段において合成符号データの生成に複数の符号データのいずれの符号を用いるべきか小領域毎に選択する選択手段と、前記入力手段により入力された小領域符号管理記録を基に、前記処理手段により生成された合成符号データに関する小領域符号管理記録を生成する手段とを有し、前記処理手段は、前記選択手段により小領域毎に選択された符号データの符号を用いて合成符号データを生成することを特徴とする画像処理装置である。
【００１３】
請求項８の発明は、ある送信先の送信要求が発生した時に、画像データを小領域毎に圧縮符号化した符号データ、及び、この符号データの小領域毎の符号についての所定の事象に関する記録である小領域符号管理記録を入力する入力手段と、前記送信先に関する送信履歴を記録している送信履歴記録手段と、前記入力手段により入力された小領域符号管理記録及び前記送信履歴記録手段に記録されている送信履歴に基づいて、前記入力手段より入力された符号データの小領域の符号を選択する選択手段と、この選択手段により選択され小領域の符号を前記送信先へ送信する手段とを有することを特徴とする画像処理装置である。
【００１４】
請求項９の発明は、ある送信先の送信要求が発生した時に、画像データを小領域毎に圧縮符号化した符号データ、及び、この符号データの小領域毎の符号についての所定の事象に関する記録である小領域符号管理記録を入力する入力手段と、前記送信先より小領域符号管理記録を受信する受信手段と、この受信手段により受信された小領域符号管理記録及び前記入力手段により入力された小領域符号管理記録に基づいて、前記入力手段により入力された符号データの小領域の符号を選択する選択手段と、この選択手段により選択された小領域の符号を前記送信先へ送信する送信手段とを有するこことを特徴とする画像処理装置である。
【００１５】
請求項１０の発明は、ある送信先の送信要求が発生した時に、画像データを小領域毎に圧縮符号化した符号データ、及び、この符号データの小領域毎の符号についての所定の事象に関する記録である小領域符号管理記録を入力する入力手段と、前記送信要求に含まれる所定の情報及び前記入力手段により入力された小領域符号管理記録に基づいて、前記入力手段により入力された符号データの小領域の符号を選択する選択手段と、前記選択手段により選択された小領域の符号を前記送信先へ送信する送信手段とを有するこことを特徴とする画像処理装置である。
【００１６】
請求項１１の発明は、ある送信元の受信要求が発生した時に、画像データを小領域毎に圧縮符号化した符号データ、及び、この符号データの小領域毎の符号についての所定の事象に関する記録である小領域符号管理記録を入力する入力手段と、前記送信元へ前記入力手段により入力された小領域符号管理記録を送信する手段と、前記送信元より符号データの少なくとも一部の小領域の符号及びそれに関する小領域符号管理記録を受信する受信手段と、この受信手段により受信された少なくとも符号データの少なくとも一部の小領域の符号で前記入力手段により入力された符号データの対応した小領域の符号を置換した符号データを生成する符号合成手段と、前記入力手段により入力された小領域符号管理記録及び前記受信手段により受信された小領域管理記録を基に前記符号合成手段により生成された符号データに関する小領域符号管理記録を生成する手段とを有することを特徴とする画像処理装置である。
【００１７】
請求項１２の発明は、画像データを小領域毎に圧縮符号化した符号データ、及び、この符号データの小領域毎の符号についての所定の事象に関する記録である小領域符号管理記録を入力する入力手段と、この入力手段により入力された符号データの復号処理を行って画像データを生成する処理手段と、前記入力手段により入力された小領域符号管理記録に基づき、前記処理手段において符号データの各小領域符号が復号処理される順序を制御する制御手段とを有することを特徴とする画像処理装置である。
【００１８】
請求項１３の発明は、請求項１２の発明による画像処理装置であって、前記処理手段により生成される画像データを画像として表示する表示手段を有することを特徴とする画像処理装置である。
【００１９】
請求項１４の発明は、画像データを小領域毎に圧縮符号化した符号データの小領域毎の符号についての所定の事象に関する記録である小領域符号管理記録を入力する小領域符号管理記録入力手段と、前記符号データの復号処理により生成された画像データを小領域単位で入力する画像入力手段と、前記小領域符号管理記録入力手段により入力された小領域符号管理記録に基づいて、前記画像入力手段による各小領域の画像データの入力順序を制御する手段と、前記画像入力手段により小領域単位で入力された画像データから表示用画像データを生成する表示画像生成手段と、この表示画像生成手段により生成された表示用画像データを画像として表示する表示手段とを有することを特徴とする画像処理装置である。
【００２０】
請求項１５の発明は、画像データを小領域毎に圧縮符号化した複数の符号データ、及び、これら各符号データの小領域毎の符号についての所定の事象に関する記録である小領域符号管理記録を入力する入力手段と、この入力手段により入力された複数の小領域符号管理記録に基づき、前記入力手段により入力された複数の符号データのうちの１の符号データを小領域毎に選択する選択手段と、前記入力手段により入力された複数の符号データのうちの前記選択手段により選択された符号データの小領域符号の復号処理を行うことにより画像データを生成する処理手段とを有することを特徴とする画像処理装置である。
【００２１】
請求項１６の発明は、請求項１乃至１５のいずれか１項の発明による画像処理装置であって、符号データの小領域符号管理記録は小領域毎の符号のバージョン情報もしくは生成日時であることを特徴とする画像処理装置である。
【００２２】
請求項１７の発明は、画像データを小領域毎に圧縮符号化した符号データ、及び、この符号データの小領域毎の符号についての所定の事象に関する記録である小領域符号管理記録を入力する入力工程と、この入力工程により入力された符号データに対し所定の処理を行う処理工程と、前記入力工程により入力された小領域符号管理記録に基づき前記処理工程における符号データに対する処理を小領域毎に制御する工程とを有することを特徴とする画像処理方法である。
【００２３】
請求項１８の発明は、請求項３乃至１６のいずれか１項の発明による画像処理装置の各手段としてコンピュータを機能させるプログラムである。
【００２４】
請求項１９の発明は、請求項１乃至１６のいずれか１項の発明による画像処理装置の各手段としてコンピュータを機能させるプログラムが記録された、コンピュータが読み取り可能な情報記録媒体である。
【発明の効果】
【００２５】
本発明においては、符号データ関する小領域符号管理記録を保存し、また、生成又は加工された符号データの小領域符号管理記録を自動的に生成する。小領域符号管理記録の具体的な内容は、その利用目的に応じて選ぶことができるが、例を挙げれば、小領域符号の生成（更新）日時、バージョン情報、生成（更新）に関与した者の氏名、アクセス日時などである。
【００２６】
本発明は、このような小領域符号管理記録を利用し、符号データの転送処理を効率的に行うことができ、また、符号データの加工処理や復号処理などを小領域単位で制御することができる。
【００２７】
例えば、外部装置に保存されている符号データを最新バージョンの符号データに更新する場合に、符号データ全体を外部装置へ送信するのではなく、符号データの新しいバージョンの小領域符号のみ送信する処理を行うことができる。自装置に保存している符号データを、外部装置に保存されている最新バージョンの符号データに更新する場合に、外部装置より符号データ全体を受信するのではなく、符号データの新しいバージョンの小領域符号のみ外部装置より受信する処理を行うことができる。符号データの古いバージョンの小領域符号のみ選択的に編集する処理や、小領域符号に対しバージョンに応じた編集処理などを行うことができる。符号データを新しいバージョンの小領域符号から順に復号・表示する処理を行うことができる。符号データから復号した画像データをバージョンの新しい小領域から順に表示する処理を行うことができる。複数の符号データのバージョンの新しい小領域符号を選択的に復号し表示する処理などを行うことができる。
【発明を実施するための最良の形態】
【００２８】
本発明において扱われる符号データは、画像データを小領域毎に圧縮符号化されたものである。このような圧縮符号化方式の例としてＪＰＥＧ２０００がある。以下、ＪＰＥＧ２０００を用いることを想定して説明するが、他の符号化方式も使用し得ることは当然である。
【００２９】
ＪＰＥＧ２０００においては、例えば図１（ａ）に示すような画像データを図１（ｂ）に示すような重複しない矩形の小領域Ｔ００〜Ｔ１５に分割する。このような小領域はＪＰＥＧ２０００ではタイルと呼び、符号化及び復号化の単位となる。この例に示すようなタイル分割で符号化処理を行った場合、生成される符号データ（コードストリーム）の全体構造を図２に示す。図２に見られるように、符号データの先頭にはＳＯＣと呼ばれるタグ（不図示）で始まるメインヘッダ１が置かれ、その後にタイル毎のデータが並ぶ。各タイルのデータは、タイルパートヘッダ２と符号（ビットストリーム）３から構成される。最後のタイルのデータの末尾にはＥＯＣと呼ばれるタグ４が置かれる。このような符号データは、タイル単位の復号が可能であり、また、符号状態のままで編集や合成などが可能である。
【００３０】
本発明においては、符号データが生成又は加工された時に、その符号データのタイル（小領域）毎の符号についての所定の事象に関する記録である小領域符号管理記録が生成される。小領域符号管理記録の具体的な内容としては、例えば、生成（更新）の日時、バージョン情報、生成（更新）に関与した者の氏名、アクセス日時などである。なお、小領域符号管理記録として、バージョン情報と生成（更新）月日といった２以上の情報を保存してもよい。また、符号データの加工時に生成される小領域符号管理記録は、加工前の符号データに関する小領域符号管理記録を書き換えたものか、加工前の符号データに関する小領域符号管理記録に新たな内容を追加したものである。後者の形の小領域符号管理記録は加工回数が増加するとデータ量も増加する点が難点ではあるが、小領域符号管理記録をより多様な目的に利用可能となる。
【００３１】
小領域符号管理記録は、例えば図３に示すような小領域（タイル）番号と対応付けたテーブルの形をとることができる。図３では、小領域符号管理記録としてバージョン番号を用いた例を示している。この例では、タイル０はバージョン番号が最も古く、タイル１はバージョン番号がＶ１．００からＶ１．１に更新されており、その符号に何らかの加工が加えられたことが分かる。タイル２はバージョン番号がＶ１．２で、その符号が最も新しいバージョンであることが分かる。
【００３２】
このような小領域符号管理記録は、符号データと関連付けられた別データの形で保存してもよいし、符号データに含めた形で保存してもよい。好ましい保存形態の一つは、符号化データのメインヘッダ中に、全てのタイルに関する小領域符号管理記録を集約して記述する方法である。小領域符号管理記録を各タイルのタイルパートヘッダに分散させて記述するような形態もとり得る。
【００３３】
本発明は、このような小領域符号管理記録を、符号データの編集、合成、復号、転送（送信、受信）、復号処理や、画像の表示処理などの制御に利用する。したがって、小領域符号管理記録として保存する内容は、小領域符号管理記録の利用目的に応じて適宜選ぶことになる。
【００３４】
図４は、本発明の実施の形態を説明するための簡略化したブロック図である。ここに示す画像処理装置１００は、画像データ、画像データを圧縮符号化した符号データ、符号データの小領域符号管理記録、符号データから伸長した画像データなどを記憶するためのデータ記憶装置１０１、符号データ又は画像データに関する各種の処理を行う処理部１０２、画像データを画像として表示する表示部１０３、インターフェースケーブルやＬＡＮ、イントラネット、インターネットなどのネットワークを介して外部装置１１０との間で符号データなどの転送を行う外部インターフェース部１０４を備える。処理部１０２は、様々な処理のための処理手段（後述の２００，３００，４００，５００，５５０，６００，７００，８００，９００，１０００）を含み、これら各処理手段は、処理に関連して小領域符号管理記録の生成（更新）のための手段や、小領域符号管理記録に基づいた小領域単位での処理の制御などを行うための手段を含んでいる。
【００３５】
以下、画像処理装置１００における様々な処理と、それに関連した処理部１０２の構成について詳細に説明する。
【００３６】
＜画像データ処理（１）＞
データ記憶部１０１に保存されている画像データの符号データを生成する処理と、それに関わる構成を図５により説明する。図５において、２００はこの処理のための処理手段２００であり、画像入力手段２０１、圧縮符号化手段２０２、符号出力手段２０４及び小領域符号管理記録生成手段２０５から構成される。
【００３７】
データ記憶部１０１に記憶されている処理対象の画像データ２１０が画像入力手段２０１により読み込まれる。この画像データは圧縮符号化手段２０２によりＪＰＥＧ２０００のアルゴリズムに従って圧縮符号化され、この際に小領域符号管理記録生成手段２０５により小領域符号管理記録が生成されて圧縮符号化手段２０２に渡される。圧縮符号化手段２０２よりＪＰＥＧ２００の符号データが出力されるが、そのメインヘッダには小領域符号管理記録が記録されている。
【００３８】
この符号データは符号出力手段２０４によりデータ記憶部１０１に書き出される。したがって、データ記憶部１０１に書き出された符号データ２１１の小領域符号管理記録２１２は、符号データ２１１のメインヘッダ中に記述された形で保存される。ただし、小領域符号管理記録２１２を符号データ２１１と別のデータファイルとして保存することも可能であることは前述の通りである。
【００３９】
この圧縮処理により生成された符号データ２１１の小領域符号管理記録は、全ての小領域（タイル）について同じ内容となる。例えば、小領域符号管理記録としてバージョン番号が用いられる場合、全ての小領域（タイル）のバージョン番号は同一である。
【００４０】
＜符号データ処理（１）＞
データ記憶部１０１に蓄積されている符号データに対する圧縮率変更等の符号編集処理と、それに関わる構成を図６により説明する。図６において、３００はこの処理のための処理手段３００であり、符号入力手段３０１、符号加工手段３０２、符号構成手段３０３、符号出力手段３０４、処理制御手段３０５及び小領域符号管理記録生成手段３０６から構成される。
【００４１】
データ記憶部１０１に記憶されている処理対象の符号データ３１０（小領域符号管理記録３１１を含む）が、符号入力手段３０１により読み込まれる。符号編集手段３０２により、読み込まれた符号データに対し符号状態での編集処理が行われる。この編集処理は、例えば符号破棄（トランケーション）による圧縮率の変更である。ＪＰＥＧ２０００の符号データは、ビットプレーン又はサブビットプレーン単位での符号破棄（ポスト量子化）など、符号状態での多様な加工が可能である。
【００４２】
このような編集処理は、小領域を区別することなく行うこともできるが、小領域符号管理記録に基づいて、例えば特定のバージョン番号より古いバージョン番号の小領域符号に対してのみ選択的に編集を行い、あるいは、バージョン番号に応じて編集処理の内容（例えば破棄符号量）を変更する等の制御を行うことができる。このような小領域符号管理情報記録に基づいて小領域毎に編集処理の制御を行うための手段が処理制御手段３０５である。また、編集処理の際に、小領域符号管理記録生成手段３０６において、少なくとも編集処理の対象となった小領域に関し内容が更新された小領域符号管理記録が生成されて符号編集手段３０２に渡される。
【００４３】
符号編集手段３０２より編集後の符号データが出力されるが、そのメインヘッダには生成（更新）された小領域符号管理記録が記述されている。この符号データは符号出力手段３０４によりデータ記憶部１０１に書き出される。
【００４４】
このようにしてデータ記憶部１０１に、元の符号データ３１０（小領域符号管理記録３１１を含む）と、それに符号編集処理を施した符号データ３１２（小領域符号管理記録３１３を含む）が保存される。ただし、符号データ３１２を元の符号データ３１０に上書きする形で保存することも可能である。
【００４５】
＜符号データ処理（２）＞
データ記憶部１０１に蓄積されている２以上の符号データから１つの合成符号データを生成する処理と、それに関わる構成を図７により説明する。図７において、４００はこの処理のための処理手段４００であり、符号入力手段４０１、符号合成手段４０２、符号出力手段４０４、符号選択手段４０５及び小領域符号管理記録生成手段４０６から構成される。
【００４６】
データ記憶部１０１に記憶されている例えば原画像を共通にする２つの符号データ４１０（小領域符号管理記録４１１を含む）及び符号データ４１２（小領域符号管理記録４１３を含む）が、符号入力手段４０１により読み込まれる。
【００４７】
符号選択手段４０５は、読み込まれた２つの符号データ４１０，４１２の小領域符号管理記録４１１，４１３を小領域（タイル）毎に比較し、どの符号データの小領域符号を合成に用いるべきか決定する。例えば、小領域符号管理記録がバージョン番号である場合に、バージョン番号が新しい方の符号データの小領域符号を選択すべきと決定する。バージョン番号が同一のときは、いずれか一方の符号データの小領域符号を選択すべきと決定する。そして、選択すべき符号データを示す選択指示を符号合成手段４０２及び小領域符号管理記録生成手段４０６へ伝える。
【００４８】
符号合成手段４０２は、小領域符号管理記録比較手段４０５からの選択指示に従って、小領域毎に２つの符号データのうちの一方を選択し、選択した符号データの小領域符号からなる合成符号データを作成し出力する。このような符号合成処理の際に、小領域符号管理記録生成手段４０６は、符号選択手段４０５からの選択指示に従って、読み込まれた符号データの選択を指示された側の小領域符号管理記録を取り込み、新たに生成される合成符号データに関する小領域符号管理記録を生成して符号合成手段４０２へ渡す。この小領域符号管理記録は、合成符号データのメインヘッダに記述されている。
【００４９】
このようにして符号合成手段４０２より出力された合成符号データは、符号出力手段４０４によりデータ記憶部１０１に書き出される。
【００５０】
このようにしてデータ記憶部１０１に、元の符号データ４１０（小領域符号管理記録４１１を含む）及び符号データ４１２（小領域符号管理記録４１３を含む）から合成された符号データ４１４（小領域符号管理記録４１４を含む）が保存される。合成された符号データ４１４（小領域符号管理記録４１５を含む）を、元の符号データに上書きする形で保存することも可能である。
【００５１】
なお、２つの符号データの合成処理の例について述べたが、３以上の符号データの合成処理も同様に行うことができることは当然である。
【００５２】
また、ここでは原画像を共通にする２つの符号データを合成する例について説明したが、これに限らない。例えば、ある画像データの符号データ（１）と、別途用意されたロゴマークなどの小さな画像の符号データ（２）を符号入力手段４０１により入力し、符号選択手段４０５において、符号データ（２）の符号で置換すべき符号データ（１）の小領域符号を選択し、その符号置換を符号合成手段４０２で行うことにより、符号データ（１）にロゴマークなどの符号データ（２）を合成する処理を行うことも可能である。この場合、ロゴマークなどの符号データ（２）に関する小領域符号管理記録は必ずしも入力しなくともよい。
【００５３】
なお、後に図１１を参照し、外部装置から受信した符号データとデータ記憶部１０１に記憶されている符号データに合成する処理を説明するが、この場合に、外部装置よりロゴマークなどの符号データを受信し、同様の合成処理を行うことも可能である。
【００５４】
＜符号データ処理（３）＞
データ記憶部１０１に記憶されている符号データの外部装置１１０への転送（ダウンロード）を行う処理と、それに関連した構成を図８により説明する。図８において、５００はこの処理のための処理手段であり、送信要求取得手段５０１、符号入力手段５０２、符号選択手段５０３、符号送信手段５０４及び送信履歴記録手段５０５から構成される。
【００５５】
送信要求取得手段５０１は、外部インターフェース１０４を通じて外部装置１１０（送信先）で発行された符号データの送信要求を取得し、又は、当該画像処理装置１００の内部で発行された外部装置１１０への符号データの送信要求を取得する手段である。
【００５６】
送信要求を取得すると、送信要求取得手段５０１からの指示に従って、符号入力手段５０２によりデータ記憶部１０１から送信対象の符号データ５１０（小領域符号管理記録５１１を含む）が読み込まれ、符号選択手段５０３に入力する。
【００５７】
送信履歴記録手段５０５は、データ記憶部１０１に記憶されている各符号データ毎に、かつ各外部装置毎に、符号データの送信履歴を記録している手段である。ここでは、符号データの小領域符号管理記録としてバージョン番号が用いられているものとし、また、送信履歴記録手段５０５は各符号データの最後に送信したバージョン番号を記録しているものとする。
【００５８】
送信要求を取得時に送信要求取得手段５０１から出される指示に従って、送信履歴記録手段５０５は、送信先の外部装置１１０に関する当該符号データの送信履歴すなわちバージョン番号を符号選択手段５０３に渡す。符号選択手段５０３は、入力した符号データの小領域符号管理記録であるバージョン番号（ａ）と送信履歴としてのバージョン番号（ｂ）とを比較し、バージョン番号（ｂ）より新しいバージョン番号（ａ）を持つ小領域の符号のみを選択して符号送信手段５０４へ入力する。これら小領域符号（そのタイルパートヘッダを含み、ここに例えば小領域符号管理記録すなわちバージョン番号が記述される）は符号送信手段５０４により外部インターフェース１０４を通じて送信先の外部装置１１０へ送信される。
【００５９】
送信先の外部装置１１０においては、受信した小領域符号によって、既に受信済みの当該符号データの対応した小領域符号を置き換えることにより、最新バージョンの符号データを合成することができる。
【００６０】
このように、符号データの必要な小領域符号のみ送信するため、符号データ全体を送信する場合に比べ転送データ量が大幅に削減し、効率的な符号データ送信が可能である。
【００６１】
なお、送信履歴を利用せずに、同様の符号データ送信処理を行うことも可能である。かかる態様について図９により説明する。図９において、５５０はこの処理のための処理手段であり、送信要求取得手段５５１、符号入力手段５５２、符号選択手段５５３及び符号送信手段５５４より構成される。
【００６２】
送信要求取得手段５５１は、外部インターフェース１０４を通じて外部装置１１０で発行された符号データの送信要求を取得する手段である。外部装置１１０で発行された送信要求には、外部装置１１０で既に受信した当該符号データに関するバージョン番号（ｂ）が含まれている。
【００６３】
送信要求が取得されると、送信要求取得手段５５１からの指示に従って、符号入力手段５１２によりデータ記憶部１０１より送信対象の符号データ５６０（小領域符号管理記録５６１を含む）が読み込まれ、符号選択手段５５３に入力する。
【００６４】
符号選択手段５５３は、入力した符号データの小領域符号管理記録であるバージョン番号（ａ）と、送信要求取得手段５５１より渡されたバージョン番号（ｂ）とを比較し、バージョン番号（ｂ）より新しいバージョン番号（ａ）を持つ小領域符号のみ選択して符号送信手段５５４へ入力する。これら小領域符号（そのヘッダ情報（タイルパートヘッダ情報）を含む）は、符号送信手段５５４により外部インターフェース１０４を通じて送信先外部装置１１０へ送信される。
【００６５】
＜符号データ処理（４）＞
符号データの外部装置への転送（ダウンロード）を行う処理と、それに関連した構成について図１０により説明する。図１０において、６００はこの処理のための処理手段であり、送信要求取得手段６０１、小領域符号管理記録受信手段６０２、符号入力手段６０３、符号選択手段６０４及び符号送信手段６０５から構成される。
【００６６】
送信要求取得手段６０１は、外部インターフェース１０４を通じて外部装置１１０（送信先）で発行された送信要求を取得し、又は、当該画像処理装置１００の内部で発行された外部装置１１０への符号データの送信要求を取得する手段である。
【００６７】
送信要求を取得すると、送信要求取得手段６０１からの指示に従って小領域符号管理記録受信手段６０２は、外部インターフェース１０４を介し、送信先外部装置に対し当該符号データの小領域符号管理記録の送信を要求し、それを受信する。受信した小領域符号管理記録（ｂ）は符号選択手段６０４に渡される。
【００６８】
また、符号入力手段６０３は、送信要求取得手段６０１からの指示に従って、データ記憶部１０１より送信対象の符号データ６１０（小領域符号管理記録６１１を含む）を読み込み、符号選択手段６０４へ入力する。
【００６９】
符号選択手段５５３は、入力した符号データの小領域符号管理記録（ａ）と、小領域符号管理記録受信手段６０２より渡された小領域符号管理記録（ｂ）を比較し、それが相違する小領域符号（タイルパートヘッダを含み、これには当該小領域符号の管理記録（ａ）が記述される）を選択して符号送信手段６０５へ入力する。符号送信手段６０５は、入力された小領域符号を外部インターフェース１０４を介し送信先の外部装置へ送信する。
【００７０】
外部装置側では、受信した小領域符号によって、以前受信していた当該符号データの対応した小領域符号と置き換え、また、小領域符号管理記録を更新する。
【００７１】
なお、小領域符号管理記録の受信要求を取得し、外部装置より小領域符号管理記録を受信する処理を行い、その後に符号データの送信要求を取得した時に、予め外部装置より受信した小領域符号管理記録に基づいて符号データの必要な小領域符号を選択して送信する処理を行うことも可能である。かかる態様も本発明に包含される。
【００７２】
＜符号データ処理（５）＞
外部装置からの符号データの転送（アップロード）を行う処理と、それに関連した構成について図１１により説明する。図１１において、７００はこの処理のための処理手段であり、受信要求取得手段７０１、小領域符号管理記録送信手段７０２、符号入力手段７０３、符号受信手段７０４、符号合成手段７０５及び符号出力手段７０７から構成される。
【００７３】
受信要求取得手段７０１は、外部インターフェース１０４を通じて外部装置１１０（送信元）で発行された符号データの受信要求を取得し、又は、当該画像処理装置１００の内部で発行された外部装置１１０の受信要求を取得する手段である。
【００７４】
受信要求を取得すると、受信要求取得手段７０１からの指示に従って、符号入力手段７０３は、データ記憶部１０１より対応した符号データ７１０（小領域符号管理記録７１１を含む）を読み込む。
【００７５】
また、小領域符号管理記録送信手段７０２は、受信要求取得手段７０１からの指示に従って、符号入力手段７０３により入力された符号データの小領域符号管理記録（ａ）を、外部インターフェース１０４を介し送信元の外部装置へ送信する。
【００７６】
外部装置において、装置内部に保存している当該符号データの小領域符号管理記録（ｂ）と受信した小領域符号管理記録（ａ）とを比較し、それが相違する当該符号データの小領域符号を選択し、選択した小領域符号（タイルパートヘッダを含み、ここには当該小領域符号の管理記録が記述されている）を送信し、これは符号受信手段７０４により受信される。
【００７７】
符号合成手段７０５は、符号受信手段７０４により受信された小領域符号で、符号入力手段７０３により入力された符号データの対応した小領域符号を置換した符号データを出力する。この際、小領域符号管理記録生成手段７０６において、符号入力手段７０３により入力された符号データの小領域符号管理記録を、符号受信手段７０４により受信された小領域符号のタイルパートヘッダに記述されている小領域符号管理記録により書き換えることにより小領域符号管理記録を作成し、これを符号合成手段７０５へ渡す。この小領域符号管理記録は、符号合成手段７０５より出力される符号データのメインヘッダに記述される。
【００７８】
符号合成手段７０５より出力された符号データは符号出力手段７０７によりデータ記憶部１０１に、元の符号データ７１０（小領域符号管理記録７１１を含む）に上書きする形で書き出される。かくして、データ記憶部１０１内に、外部装置に保存されている符号データ（小領域符号管理記録）と同じ内容の符号データ７１２（小領域符号管理記録７１３を含む）が蓄積されることになる。
【００７９】
このように、符号データの必要な小領域符号のみ受信して符号データを最新バージョンに更新するため、符号データ全体を受信する場合に比べ符号データ更新のための符号データ転送処理を効率的に行うことができる。
【００８０】
なお、符号データの受信要求とは独立に小領域符号管理記録の送信要求を取得し、小領域符号管理記録を外部装置へ送信する処理を行い、その後に符号データの受信要求を取得した時に、同様の小領域符号の受信、符号データの合成の処理を行うことも可能であり、かかる態様も本発明に含まれる。
【００８１】
＜符号データ処理（６）＞
小領域符号管理記録に基づいて小領域毎に処理順を制御しながら符号データを復号する処理と、それに関連した構成について図１２により説明する。図１２において、８００はこの処理のための処理手段であり、符号入力手段８０１、復号化手段８０２、処理順序制御手段８０３、画像構成手段８０４及び画像出力手段８０５から構成される。
【００８２】
符号入力手段８０１は、データ記憶部１０１より符号データ８１０（小領域符号管理記録８１１を含む）を読み込み、その符号データを復号手段８０２に入力し、その小領域符号管理記録を処理順序制御手段８０３に入力する。
【００８３】
処理順序制御手段８０３は、小領域符号管理記録に基づいて、符号データの小領域符号の復号処理の順序を決定して復号手段８０２に指定する。例えば、小領域符号管理記録がバージョン番号である場合に、バージョン番号の新しい小領域を優先的に処理するように処理順序を決定することができる。このような処理順序によれば、最近更新された小領域ほど早い段階で復号されることになる。
【００８４】
復号化手段８０２は、小領域毎に、処理順制御手段８０３より指定された順序に従って、符号データの復号処理を行う。画像構成手段８０４は、復号化手段８０２より出力される小領域の画像データを画像上の対応位置に展開して全体の画像データを構成する手段である。画像構成手段８０５により画像全体の画像データが構成された段階で、画像出力手段１０１はその画像データ８１２をデータ記憶部１０１に書き出す。
【００８５】
また、画像出力手段８０５は、画像構成手段８０４によって画像全体の画像データが構成される以前から、画像構成手段８０４により構成された画像データを逐次、表示部１０３へ出力し表示させることができる。したがって、例えば、バージョン番号の新しい小領域符号から先に復号処理を行った場合には、最近更新された小領域の画像から順に表示されることになる。このような順序制御によれば、符号データの更新内容の確認などが容易になる等の利点がある。
【００８６】
＜画像データ処理（２）＞
符号データから復号された画像データを、その符号データの小領域符号管理記録に基づいて小領域毎に表示順序を制御しつつ表示する処理と、それに関連した構成について図１３により説明する。図１３において、９００はこの処理のための処理手段であり、小領域符号管理記録入力手段９０１、処理順序制御手段９０２、画像入力手段９０３及び表示画像生成手段９０４から構成される。
【００８７】
データ記憶部１０１には、符号データ９１０（小領域符号管理記録９１１を含む）と、同符号データの復号処理により生成された画像データ９１２が記憶されている。この画像データが処理の対象である。
【００８８】
小領域符号管理記録入力手段９０１は、データ記憶部１０１より符号データ９１０の小領域符号管理記録９１１を読み込む。処理順序制御手段９０２は、読み込まれた小領域符号管理記録に基づき小領域の処理順序を決定する。例えば、バージョン番号の新しい小領域を優先するように処理順序を決定する。
【００８９】
画像データの入力に関しては２つの態様をとり得る。１つの態様においては、画像入力手段９０３によって、画像データ９１２が、小領域単位で、処理順序制御手段８０２により決定された処理順序に従って読み込まれ、表示画像生成手段９０４に入力される。表示画像生成手段９０４は、入力された小領域画像データから表示部１０３に表示させる表示画像データを生成する。
【００９０】
もう１つの態様においては、画像入力手段９０３によって画像データ９１２の全体（全領域）が読み込まれて表示画像生成手段９０４に入力される。表示画像生成手段９０４は、入力した全体画像データから、処理順序制御手段９０２により決定された処理順序に従って選択した小領域の画像データを用いて表示画像データを生成する。
【００９１】
いずれの態様をとるにしても、例えば、バージョン番号の新しい小領域から順に画像が表示部１０３に表示されることになる。
【００９２】
＜符号データ処理（７）＞
２以上の符号データから、小領域符号管理記録に基づいて小領域単位で符号を選択し、それを復号する処理と、それに関連する構成について図１４により説明する。図１４において、１０００はこの処理のための処理手段であり、符号入力手段１００１、符号選択手段１００２、復号化手段１００３、画像構成手段１００４及び画像出力手段１００５から構成される。
【００９３】
データ記憶部１０１には、符号データ１０１１（小領域符号管理記録１０１２を含む）と符号データ１０１３（小領域符号管理記録１０１４を含む）が記憶されている。これら符号データ１０１１，１０１３はいずれも画像データ１０１０を原画像データとするものであり、例えば、それぞれが画像データより別々に圧縮符号化処理により生成されたものである場合や、一方の符号データは画像データ１０１０の圧縮符号化処理により生成され、この符号データの編集処理などによって他方の符号データが生成された場合などが想定される。言うまでもなく、それぞれの符号データは、その生成後に編集処理などを加えられている場合も考えられる。
【００９４】
符号入力手段１００１により、データ部１０１内の符号データ１０１１，１０１３（小領域符号管理記録１０１２，１０１４を含む）が読み込まれる。符号選択手段１００２において、それら小領域符号管理記録１０１２，１０１４の比較が行われ、小領域毎に、いずれの符号データの符号を選択すべきかが決定され、その結果が復号化手段１００３に通知される。この選択の一例を挙げれば、小領域符号管理記録がバージョン番号の場合に、バージョン番号が新しい符号を選択する。
【００９５】
復号化手段１００３においては、符号選択手段１００２から通知された符号選択情報に従って、入力された２つの符号データより、小領域単位で符号を選択し、選択した符号の復号処理を行い、各小領域の画像データを出力し、画像構成手段１００４はその小領域画像データから全体の画像データを構成する。画像構成手段１００４により構成された画像データは画像出力手段１００５によりデータ記憶部１０１に書き出され、あるいは、表示部１０３へ出力され画像表示される。
【００９６】
以上の処理によって、実質的に、２つの符号データを小領域単位で合成した符号データの画像データの生成及び表示が行われる。ここまでは２つの符号データを処理する例を説明したが、３以上の符号データに対し同様の処理を行うことも可能であることは明らかである。
【００９７】
以上に説明した画像処理装置１００は、例えば図１５に示すようなＣＰＵ１１０１、メモリ１１０２，ディスプレイ装置１１０３、通信インターフェース１１０４、キーボード等のユーザ入力装置１１０６、磁気ディスク、光ディスク、光磁気ディスク、半導体記憶素子などの各種情報記録（記憶）媒体の読み書きのための媒体読み書き装置１１０７、ハードディスク装置１１０８などからなる一般的なコンピュータを利用しプログラムにより実現することも可能である。このようなコンピュータを、画像処理装置１００の構成手段として機能させるための１以上のプログラム（アプリケーションプログラム、デバイスドライバなど）は、例えば、媒体読み書き装置１１０７又は通信インターフェース１１０４を通じ取り込まれてハードディスク装置１１０８に蓄積され、必要に応じてハードディスク装置１１０８よりメモリ１１０２にロードされＣＰＵ１１０１により実行されることになる。このような１以上のプログラム、及び、同プログラムが記録された各種の情報記録（記憶）媒体も本発明に包含される。
【００９８】
このようにコンピュータを利用して本発明に係る画像処理装置を実現する形態においては、コンピュータ上で動作するプロセス間又はアプリケーションプログラム間で、図８乃至図１１に関連して説明したような符号データなどの送受信を行い、同様の処理を行うことも可能であり、かかる態様も本発明に包含される。
【００９９】
また、図５乃至図１４に関連した処理の説明は、本発明に係る画像処理方法における処理手順の説明でもあることは明らかである。よって、画像処理方法としての説明は繰り返さない。
【０１００】
また、圧縮符号化方式としてＪＰＥＧ２０００を用いる場合について説明したが、画像を小領域毎に圧縮符号化し、また、小領域毎に符号の復号や編集などが可能な他の圧縮符号化方式を用いる場合にも本発明を適用し得ることは明らかである。
【図面の簡単な説明】
【０１０１】
【図１】ＪＰＥＧ２０００のタイル分割の説明図である。
【図２】ＪＰＥＧ２０００の符号データのフォーマットの説明図である。
【図３】小領域符号管理記録の説明図である。
【図４】本発明に係る画像処理装置の全体構成を説明するためのブロック図である。
【図５】本発明に係る画像処理装置における圧縮符号化処理及びそれに関わる構成を説明するためのブロック図である。
【図６】本発明に係る画像処理装置における符号編集処理及びそれに関わる構成を説明するためのブロック図である。
【図７】本発明に係る画像処理装置における符号合成処理及びそれに関わる構成を説明するためのブロック図である。
【図８】本発明に係る画像処理装置における符号送信処理及びそれに関わる構成を説明するためのブロック図である。
【図９】本発明に係る画像処理装置における符号送信処理及びそれに関わる構成を説明するためのブロック図である。
【図１０】本発明に係る画像処理装置における符号送信処理及びそれに関わる構成を説明するためのブロック図である。
【図１１】本発明に係る画像処理装置における符号受信処理及びそれに関わる構成を説明するためのブロック図である。
【図１２】本発明に係る画像処理装置における復号化処理及びそれに関わる構成を説明するためのブロック図である。
【図１３】本発明に係る画像処理装置における画像表示処理及びそれに関わる構成を説明するためのブロック図である。
【図１４】本発明に係る画像処理装置における復号化処理及びそれに関わる構成を説明するためのブロック図である。
【図１５】本発明に係る画像処理装置をソフトウェアにより実現するためのコンピュータの構成の一例を示すブロック図である。
【符号の説明】
【０１０２】
１００    画像処理装置
１０１    データ記憶部
１０２    処理部
１０３    表示部
１０４    外部インターフェース
２０１    画像入力手段
２０２    圧縮符号化手段
２０３    符号出力手段
２０５    小領域符号管理記録生成手段
３０１    符号入力手段
３０２    符号編集手段
３０４    符号出力手段
３０５    処理制御手段
３０６    小領域符号管理記録生成手段
４０１    符号入力手段
４０２    符号合成手段
４０４    符号出力手段
４０５    符号選択手段
４０６    小領域符号管理記録生成手段
５０１    送信要求取得手段
５０２    符号入力手段
５０３    符号選択手段
５０４    符号送信手段
５０５    送信履歴記録手段
５５１    送信要求取得手段
５５２    符号入力手段
５５３    符号選択手段
５５４    符号送信手段
６０１    送信要求取得手段
６０２    小領域符号管理記録受信手段
６０３    符号入力手段
６０４    符号選択手段
６０５    符号送信手段
７０１    受信要求取得手段
７０２    小領域符号管理記録送信手段
７０３    符号入力手段
７０４    符号受信手段
７０５    符号合成手段
７０６    小領域符号管理記録生成手段
７０７    符号出力手段
８０１    符号入力手段
８０２    復号化手段
８０３    処理順序制御手段
８０４    画像構成手段
８０５    画像出力手段
９０１    小領域符号管理記録入力手段
９０２    処理順序制御手段
９０３    画像入力手段
９０４    表示画像生成手段
１００１    符号入力手段
１００２    符号選択手段
１００３    復号化手段
１００４    画像構成手段
１００５    画像出力手段
【図１】
2006033189.tif 000003
【図２】
2006033189.tif 000004
【図３】
2006033189.tif 000005
【図４】
2006033189.tif 000006
【図５】
2006033189.tif 000007
【図６】
2006033189.tif 000008
【図７】
2006033189.tif 000009
【図８】
2006033189.tif 000010
【図９】
2006033189.tif 000011
【図１０】
2006033189.tif 000012
【図１１】
2006033189.tif 000013
【図１２】
2006033189.tif 000014
【図１３】
2006033189.tif 000015
【図１４】
2006033189.tif 000016
【図１５】
2006033189.tif 000017